(57)【要約】【課題】  通信制御装置において誤操作を防止する技術を提供する。【解決手段】  通信制御装置であって、通信のためのケーブルを接続する複数のコネクタ部と、コネクタ部のそれぞれに対応付けられた押下可能な回線指定受付部と、コネクタ部のそれぞれに対応付けられた設定情報を格納する記憶部と、押下された後に、いずれかの互いに異なる回線指定受付部への押下を所定時間内に二回受け付ける制御指示受付部と、を備え、制御指示受付部は、押下された後に受け付けた回線指定受付部への押下をそれぞれ移行元回線および移行先回線として受け付け、移行元回線の設定情報を、移行先回線の設定情報として記憶部に格納する。【選択図】図１
2020025167.tif 000002
【特許請求の範囲】
【請求項１】
通信のためのケーブルを接続する複数のコネクタ部と、
前記コネクタ部のそれぞれに対応付けられた押下可能な回線指定受付部と、
前記コネクタ部のそれぞれに対応付けられた設定情報を格納する記憶部と、
押下された後に、いずれかの互いに異なる前記回線指定受付部への押下を所定時間内に二回受け付ける制御指示受付部と、
を備え、
前記制御指示受付部は、
押下された後に受け付けた前記回線指定受付部への押下をそれぞれ移行元回線および移行先回線として受け付け、
前記移行元回線の前記設定情報を、前記移行先回線の前記設定情報として前記記憶部に格納する、
ことを特徴とする通信制御装置。
【請求項２】
請求項１に記載の通信制御装置であって、
前記制御指示受付部は、押下されると、前記コネクタ部近傍に設けられた前記コネクタ部の状態を示す表示部を消灯させ、前記回線指定受付部への押下がなされると、該回線指定受付部に対応付けられた前記コネクタ部近傍に設けられた前記表示部を点灯または点滅させる、
ことを特徴とする通信制御装置。
【請求項３】
請求項１または２に記載の通信制御装置であって、
前記制御指示受付部は、押下されると、前記コネクタ部近傍に設けられた前記コネクタ部の状態を示す表示部を消灯させ、
前記記憶部に前記移行先回線の前記設定情報を格納すると、前記表示部を消灯前の状態に戻す、
ことを特徴とする通信制御装置。
【請求項４】
請求項１〜３のいずれか一項に記載の通信制御装置であって、
前記制御指示受付部は、押下されると、前記コネクタ部近傍に設けられた前記コネクタ部の状態を示す表示部を消灯させ、
前記移行先回線の前記回線指定受付部の押下後、前記記憶部に前記移行先回線の前記設定情報を格納が完了するまでの間、前記移行先回線と前記移行元回線の表示部を所定の警戒色により点滅させる、
ことを特徴とする通信制御装置。
【請求項５】
請求項１に記載の通信制御装置であって、
前記制御指示受付部は、前記移行先回線の前記回線指定受付部の押下後、前記記憶部に前記移行先回線の前記設定情報を格納が完了するまでの間、前記移行先回線と前記移行元回線の表示部を所定の警戒色により点滅させる、
ことを特徴とする通信制御装置。
【請求項６】
請求項１に記載の通信制御装置であって、
前記コネクタ部の異常を検出する異常検出部を備え、
前記制御指示受付部は、押下されると、前記異常検出部により異常を検出されたコネクタ部がある場合に、該コネクタ部近傍に設けられた前記コネクタ部の状態を示す表示部を所定の警告色により点滅させる、
ことを特徴とする通信制御装置。
【請求項７】
通信のためのケーブルを接続する複数のコネクタ部と、
前記コネクタ部の異常を検出する異常検出部と、
前記コネクタ部に前記ケーブルが挿抜されたことを検出する挿抜検出部と、
前記コネクタ部の近傍に設けられた前記コネクタ部の状態を示す表示部と、
前記コネクタ部のそれぞれに対応付けられた設定情報を格納する記憶部と、
装置制御部と、を備え、
前記装置制御部は、
前記異常検出部がいずれかの前記コネクタ部の異常を検出すると、該コネクタ部の状態を示す前記表示部を所定の警告色により点滅させ、
前記挿抜検出部が該コネクタ部に接続されているケーブルが抜去され、他の前記コネクタ部に挿入されたことを検知すると、抜去された回線と挿入された回線のそれぞれを移行元回線および移行先回線として受け付け、
前記移行元回線の前記設定情報を、前記移行先回線の前記設定情報として前記記憶部に格納する、
ことを特徴とする通信制御装置。
【請求項８】
通信制御装置の接続管理方法であって、
前記通信制御装置は、
通信のためのケーブルを接続する複数のコネクタ部と、
前記コネクタ部のそれぞれに対応付けられた押下可能な回線指定受付部と、
前記コネクタ部のそれぞれに対応付けられた設定情報を格納する記憶部と、
押下された後に、いずれかの互いに異なる前記回線指定受付部への押下を所定時間内に二回受け付ける制御指示受付部と、
を備え、
前記制御指示受付部は、
押下された後に受け付けた前記回線指定受付部への押下をそれぞれ移行元回線および移行先回線として受け付ける受付ステップと、
前記移行元回線の前記設定情報を、前記移行先回線の前記設定情報として前記記憶部に格納する格納ステップと、
を実施することを特徴とする接続管理方法。
【請求項９】
通信制御装置の接続管理方法であって、
前記通信制御装置は、
通信のためのケーブルを接続する複数のコネクタ部と、
前記コネクタ部の異常を検出する異常検出部と、
前記コネクタ部に前記ケーブルが挿抜されたことを検出する挿抜検出部と、
前記コネクタ部の近傍に設けられた前記コネクタ部の状態を示す表示部と、
前記コネクタ部のそれぞれに対応付けられた設定情報を格納する記憶部と、
装置制御部と、を備え、
前記装置制御部は、
前記異常検出部がいずれかの前記コネクタ部の異常を検出すると、該コネクタ部の状態を示す前記表示部を所定の警告色により点滅させる異常報知ステップと、
前記挿抜検出部が該コネクタ部に接続されているケーブルが抜去され、他の前記コネクタ部に挿入されたことを検知すると、抜去された回線と挿入された回線のそれぞれを移行元回線および移行先回線として受け付ける受付ステップと、
前記移行元回線の前記設定情報を、前記移行先回線の前記設定情報として前記記憶部に格納する格納ステップと、
を実施することを特徴とする接続管理方法。
【発明の詳細な説明】
【技術分野】
【０００１】
本発明は、通信制御装置および接続管理方法に関する。
【背景技術】
【０００２】
特許文献１には、「第１のＬＡＮと通信回線との間に挿入され、この通信回線を介して遠隔地の第２のＬＡＮとの間の通信を制御するリモートアクセスルータに、操作キーおよび表示器を備える操作パネルと、予め設定された通信動作条件を記憶する記憶装置と、この記憶装置に記憶されている通信動作条件に基づいてＬＡＮ通信を制御する通信制御装置とを具備し、この操作パネルによって、少なくとも、前記第１のＬＡＮ側ＩＰアドレス、前記通信回線側ＩＰアドレス、及び前記通信回線の種別とを含む通信動作条件の設定し、この操作パネルによって設定された通信動作条件の設定内容を前記記憶装置に記憶させる手段を備えたことを特徴とするリモートアクセスルータ」の技術が記載されている。
【先行技術文献】
【特許文献】
【０００３】
【特許文献１】特開平１１−０９８１７０号公報
【発明の概要】
【発明が解決しようとする課題】
【０００４】
上記特許文献１に記載された技術では、リモートアクセスルータに設けられた操作パネルを用いて設定を行うことが可能となるが、この設定にはネットワークに関する背景知識が多く要求される。通信制御装置の故障時等において、システム運用管理を担うオペレータがマニュアルに従って操作することは可能であっても、背景知識の不足により状態の診断や判断を誤り、さらに大きな障害を引き起こすおそれがある。
【０００５】
本発明の目的は、通信制御装置において誤操作を防止する技術を提供することにある。
【課題を解決するための手段】
【０００６】
本願は、上記課題の少なくとも一部を解決する手段を複数含んでいるが、その例を挙げるならば、以下のとおりである。上記課題を解決すべく、本発明の一態様に係る通信制御装置は、通信のためのケーブルを接続する複数のコネクタ部と、上記コネクタ部のそれぞれに対応付けられた押下可能な回線指定受付部と、上記コネクタ部のそれぞれに対応付けられた設定情報を格納する記憶部と、押下された後に、いずれかの互いに異なる上記回線指定受付部への押下を所定時間内に二回受け付ける制御指示受付部と、を備え、上記制御指示受付部は、押下された後に受け付けた上記回線指定受付部への押下をそれぞれ移行元回線および移行先回線として受け付け、上記移行元回線の上記設定情報を、上記移行先回線の上記設定情報として上記記憶部に格納する、ことを特徴とする。
【０００７】
また、上記通信制御装置においては、上記制御指示受付部は、押下されると、上記コネクタ部近傍に設けられた上記コネクタ部の状態を示す表示部を消灯させ、上記回線指定受付部への押下がなされると、該回線指定受付部に対応付けられた上記コネクタ部近傍に設けられた上記表示部を点灯または点滅させるものであってもよい。
【０００８】
また、上記の通信制御装置においては、上記制御指示受付部は、押下されると、上記コネクタ部近傍に設けられた上記コネクタ部の状態を示す表示部を消灯させ、上記記憶部に上記移行先回線の上記設定情報を格納すると、上記表示部を消灯前の状態に戻すものであってもよい。
【０００９】
また、上記の通信制御装置においては、上記制御指示受付部は、押下されると、上記コネクタ部近傍に設けられた上記コネクタ部の状態を示す表示部を消灯させ、上記移行先回線の上記回線指定受付部の押下後、上記記憶部に上記移行先回線の上記設定情報を格納が完了するまでの間、上記移行先回線と上記移行元回線の表示部を所定の警戒色により点滅させるものであってもよい。
【００１０】
また、上記の通信制御装置においては、上記制御指示受付部は、上記移行先回線の上記回線指定受付部の押下後、上記記憶部に上記移行先回線の上記設定情報を格納が完了するまでの間、上記移行先回線と上記移行元回線の表示部を所定の警戒色により点滅させるものであってもよい。
【００１１】
また、上記の通信制御装置においては、上記コネクタ部の異常を検出する異常検出部を備え、上記制御指示受付部は、押下されると、上記異常検出部により異常を検出されたコネクタ部がある場合に、該コネクタ部近傍に設けられた上記コネクタ部の状態を示す表示部を所定の警告色により点滅させるようにしてもよい。
【００１２】
また、本発明に係る通信制御装置は、通信のためのケーブルを接続する複数のコネクタ部と、上記コネクタ部の異常を検出する異常検出部と、上記コネクタ部に上記ケーブルが挿抜されたことを検出する挿抜検出部と、上記コネクタ部の近傍に設けられた上記コネクタ部の状態を示す表示部と、上記コネクタ部のそれぞれに対応付けられた設定情報を格納する記憶部と、装置制御部と、を備え、上記装置制御部は、上記異常検出部がいずれかの上記コネクタ部の異常を検出すると、該コネクタ部の状態を示す上記表示部を所定の警告色により点滅させ、上記挿抜検出部が該コネクタ部に接続されているケーブルが抜去され、他の上記コネクタ部に挿入されたことを検知すると、抜去された回線と挿入された回線のそれぞれを移行元回線および移行先回線として受け付け、上記移行元回線の上記設定情報を、上記移行先回線の上記設定情報として上記記憶部に格納するものであってもよい。
【００１３】
また、本発明に係る通信制御装置の接続管理方法は、上記通信制御装置は、通信のためのケーブルを接続する複数のコネクタ部と、上記コネクタ部のそれぞれに対応付けられた押下可能な回線指定受付部と、上記コネクタ部のそれぞれに対応付けられた設定情報を格納する記憶部と、押下された後に、いずれかの互いに異なる上記回線指定受付部への押下を所定時間内に二回受け付ける制御指示受付部と、を備え、上記制御指示受付部は、押下された後に受け付けた上記回線指定受付部への押下をそれぞれ移行元回線および移行先回線として受け付ける受付ステップと、上記移行元回線の上記設定情報を、上記移行先回線の上記設定情報として上記記憶部に格納する格納ステップと、を実施する。
【００１４】
また、本発明に係る通信制御装置の接続管理方法は、上記通信制御装置は、通信のためのケーブルを接続する複数のコネクタ部と、上記コネクタ部の異常を検出する異常検出部と、上記コネクタ部に上記ケーブルが挿抜されたことを検出する挿抜検出部と、上記コネクタ部の近傍に設けられた上記コネクタ部の状態を示す表示部と、上記コネクタ部のそれぞれに対応付けられた設定情報を格納する記憶部と、装置制御部と、を備え、上記装置制御部は、上記異常検出部がいずれかの上記コネクタ部の異常を検出すると、該コネクタ部の状態を示す上記表示部を所定の警告色により点滅させる異常報知ステップと、上記挿抜検出部が該コネクタ部に接続されているケーブルが抜去され、他の上記コネクタ部に挿入されたことを検知すると、抜去された回線と挿入された回線のそれぞれを移行元回線および移行先回線として受け付ける受付ステップと、上記移行元回線の上記設定情報を、上記移行先回線の上記設定情報として上記記憶部に格納する格納ステップと、を実施する。
【発明の効果】
【００１５】
本発明によれば、通信制御装置において誤操作を防止する技術を提供することができる。上記した以外の課題、構成及び効果は、以下の実施形態の説明により明らかにされる。
【図面の簡単な説明】
【００１６】
【図１】本発明の実施形態に係る通信制御装置の構成例を示す図である。
【図２】回線情報記憶部に格納されるデータ構造例を示す図である。
【図３】通信制御装置のハードウェア構成例を示す図である。
【図４】回線引継ぎ操作受付処理の動作フロー例を示す図である。
【図５】回線引継ぎ処理の動作フロー例を示す図である。
【図６】通信制御装置のハードウェアボタンの配置例を示す図である。
【図７】通信制御装置のハードウェアボタンの別の配置例を示す図である。
【図８】通信制御装置の表示一体型のハードウェアボタンの配置例を示す図である。
【図９】通信制御装置の表示一体型のハードウェアボタンの別の配置例を示す図である。
【図１０】本発明の第二の実施形態に係る通信制御装置の構成例を示す図である。
【図１１】異常回線引継ぎ操作受付処理の動作フロー例を示す図である。
【発明を実施するための形態】
【００１７】
以下、本発明に係る一つの実施の形態を図面に基づいて説明する。なお、実施の形態を説明するための全図において、同一の部材には原則として同一の符号を付し、その繰り返しの説明は省略する。また、以下の実施の形態において、その構成要素（要素ステップ等も含む）は、特に明示した場合および原理的に明らかに必須であると考えられる場合等を除き、必ずしも必須のものではないことは言うまでもない。また、「Ａからなる」、「Ａよりなる」、「Ａを有する」、「Ａを含む」と言うときは、特にその要素のみである旨明示した場合等を除き、それ以外の要素を排除するものでないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。
【００１８】
通信制御装置を含むネットワーク装置は、常時稼動するネットワークの運転を維持するために空調設備等の導入が必要であり、その結果限られたスペースに集中的に配置されることが多い。さらに、ネットワークに接続する各装置から通信用のケーブルが集中するために、物理的にケーブルを辿る際に取り違え等の障害も起き易い。
【００１９】
また、そのようなネットワーク設備は、常時稼動の運用事情から、監視を担当する職員により障害発生時に初動の対処を任されている場合も多い。監視を担当する職員によっては、ネットワーク装置の操作に習熟していない者もいるため、上述の取り違え等の発生が多くなる場合が想定される。
【００２０】
そのため、ネットワーク設備については、単に故障したコネクタからケーブルを抜去し、正常な予備のコネクタへのケーブルの挿入を行うだけの作業であっても、確実に実施するためには習熟度合いに左右されず理解しやすいインターフェースを備える要請がある。
【００２１】
図１は、本発明の実施形態に係る通信制御装置の構成例を示す図である。図示するように、通信制御装置１００は、通信用のケーブルを接続するためのコネクタ部１２１を複数備え、各コネクタ部の近傍（おおむね、コネクタ部の外縁から２０ｍｍ（ミリメートル）以内で、コネクタ部との対応付けが直感的に理解できる位置）に表示部１４１と回線指定受付部１３１とを備える。コネクタ部１２１には、ネットワークケーブルが挿抜される。また、通信制御装置１００は、操作用の指示を受け付ける制御指示受付部１３２を備える。
【００２２】
ネットワークケーブルは、例えば、インターネット等の公衆網やＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）の接続のためのケーブルであり、他の通信装置と通信可能に接続する。ただし、ケーブルの材質、規格や利用するプロトコルはこれらに限られず、各種の通信規格を用いることができる。
【００２３】
通信制御装置１００は、記憶部１１０と、装置制御部１２０と、回線情報制御部１３０と、表示制御部１４０と、を備える。記憶部１１０には、回線情報記憶部１１１と、一時記憶部１１２と、が含まれる。
【００２４】
図２は、回線情報記憶部に格納されるデータ構造例を示す図である。回線情報記憶部１１１には、回線識別子１１１ａと、回線設定１１１ｂと、最終更新日時１１１ｃと、が対応付けて格納される。
【００２５】
回線識別子１１１ａは、回線を識別する識別子である。回線は、実際にはコネクタ部１２１のいずれかと対応付けられている。すなわち、回線識別子１１１ａは、コネクタ部１２１のいずれかを特定する情報である。回線設定１１１ｂは、回線識別子１１１ａで特定される回線の設定情報である。設定情報には、ＶＬＡＮ（Ｖｉｒｔｕａｌ  ＬＡＮ）、ＬＡＣＰ、ＭＤＩＸやチャンネルグループ等の各種の設定が所定のデータフォーマットで格納される。最終更新日時１１１ｃは、回線設定１１１ｂが最後に更新された日時を特定する情報である。
【００２６】
装置制御部１２０は、通信制御装置１００の制御を行う。具体的には、装置制御部１２０は、いわゆるＯＳ（Ｏｐｅｒａｔｉｎｇ  Ｓｙｓｔｅｍ）による機能を実行するプロセッサーである。また、装置制御部１２０は、接続先との通信の開始・終了や、障害の発生の監視、あるいは通信パターンに応じて所定の不審な通信を見つけて遮断し報知する進入検知処理等の各種処理を行う。
【００２７】
表示制御部１４０は、表示部１４１の表示を制御する。表示部１４１は、いわゆるＬＥＤ（Ｌｉｇｈｔ  Ｅｍｉｔｔｉｎｇ  Ｄｉｏｄｅ）等の光源であり、点灯、点滅、消灯等の点灯パターンと、表示色と、を外部から自由に制御できる。表示部１４１の表示色には、緑、白、青、赤、橙、黄等が含まれ、表示制御部１４０は、表示したい情報の内容に応じて、例えば赤色を警告色、橙色を警戒色、緑を通常色等の表示色として用いる。
【００２８】
また、表示制御部１４０は、通常、正常動作時には通信が行われている回線に応じて表示部１４１を緑色で発光表示させ、通信の間欠期には消灯を行うことで、断続的な点滅表示を行うのが慣例である。
【００２９】
回線情報制御部１３０は、回線の切り替え、コネクタの挿抜、回線設定の変更等の回線の設定に関する各種の処理を行う。また、回線情報制御部１３０は、回線指定受付部１３１と、制御指示受付部１３２からのボタン押下の入力をそれぞれ受け付けて、所定の処理においてその対応する回線等の特定を行う。
【００３０】
回線指定受付部１３１は、いわゆるハードウェアボタンであり、押下等の外部からの入力を特定し、対応する制御を行う。なお、回線指定受付部１３１は、押下可能なＬＥＤ等により構成され、表示部１４１の表示色と同様に、緑、白、青、赤、橙、黄等の色を表示するものであってもよい。
【００３１】
なお、通信制御装置１００は、ブリッジ、ハブ、ルーター、ゲートウェイ、ファイアーウォール等、各種の装置であってもよい。
【００３２】
図３は、通信制御装置のハードウェア構成例を示す図である。通信制御装置１００は、ＣＰＵ（Ｃｅｎｔｒａｌ  Ｐｒｏｃｅｓｓｉｎｇ  Ｕｎｉｔ）１０１等の演算装置と、メモリ等の主記憶装置１０２と、ハードディスクやＳＳＤ（Ｓｏｌｉｄ  Ｓｔａｔｅ  Ｄｒｉｖｅ）等の外部記憶装置１０３と、ＡＳＩＣ（Ａｐｐｌｉｃａｔｉｏｎ  ｓｐｅｃｉｆｉｃ  Ｉｎｔｅｇｒａｔｅｄ  Ｃｉｒｃｕｉｔ）等の予めプログラムされた処理を実行する回線情報制御装置１０５と、表示制御装置１０６と、回線部通信制御装置１０７と、これらをつなぐバスと、を含んで構成される。
【００３３】
主記憶装置１０２は、例えばＲＡＭ（Ｒａｎｄｏｍ  Ａｃｃｅｓｓ  Ｍｅｍｏｒｙ）などのメモリである。
【００３４】
外部記憶装置１０３は、デジタル情報を記憶可能な、いわゆるハードディスクやＳＳＤ、あるいはフラッシュメモリなどの不揮発性記憶装置である。
【００３５】
回線情報制御装置１０５は、ネットワークケーブルを介して有線通信を行う有線の通信部の設定を管理し、記憶部１１０に格納、管理する装置である。表示制御装置１０６は、表示部１４１の表示色、表示タイミング等を制御する。回線部通信制御装置１０７は、コネクタ部１２１と接続されたケーブルにより接続される機器との通信を制御する。
【００３６】
上記した装置制御部１２０は、ＣＰＵ１０１に処理を行わせるプログラムおよび回線部通信制御装置１０７により実現される。このプログラムは、主記憶装置１０２、または外部記憶装置１０３内に記憶され、実行にあたって主記憶装置１０２上にロードされ、ＣＰＵ１０１により実行される。
【００３７】
また、記憶部１１０に格納される回線情報記憶部１１１と、一時記憶部１１２とは主記憶装置１０２及び外部記憶装置１０３により実現される。
【００３８】
以上が、本実施形態における通信制御装置１００のハードウェア構成例である。しかし、これに限らず、その他のハードウェアを用いて構成されるものであってもよい。例えば、パーソナルコンピューターや、ワイヤレスネットワークルーター、テレビジョン装置等の、各種の情報処理装置であってもよい。
【００３９】
なお、通信制御装置１００は、図示しないが、ＯＳ、ミドルウェア、アプリケーションなどの公知の要素を有し、特にディスプレイなどの入出力装置にＧＵＩ（Ｇｒａｐｈｉｃａｌ  Ｕｓｅｒ  Ｉｎｔｅｒｆａｃｅ）画面を表示するための既存の処理機能を備えるものであってもよい。
【００４０】
［動作の説明］次に、本実施形態における通信制御装置１００の回線引継ぎ時の動作を説明する。回線引継ぎ操作受付処理は、通信制御装置１００が起動中に開始される。
【００４１】
図４は、回線引継ぎ操作受付処理の動作フロー例を示す図である。まず、装置制御部１２０は、制御指示受付部１３２が押下されたか否か判定する（ステップＳ００１）。制御指示受付部１３２が押下されていない場合（ステップＳ００１にて「Ｎｏ」の場合）には、装置制御部１２０は、ステップＳ００１を再度実施する。
【００４２】
制御指示受付部１３２が押下された場合（ステップＳ００１にて「Ｙｅｓ」の場合）には、装置制御部１２０は、監視タイマーをスタートさせる（ステップＳ００２）。具体的には、装置制御部１２０は、所定の時間（例えば、２０秒）を上限とするカウントアップを開始する。また、ここで、制御指示受付部１３２は、押下されると、表示制御部１４０に指示して、全てのコネクタ部１２１の近傍に設けられたコネクタ部１２１の状態を示す表示部１４１を消灯させる。
【００４３】
そして、装置制御部１２０は、移行元となる回線指定受付部１３１が押下されたか否か判定する（ステップＳ００３）。具体的には、装置制御部１２０は、いずれかの回線の近傍にある回線指定受付部１３１への押下があったか否か判定する。押下がなされなかった場合（ステップＳ００３にて「Ｎｏ」の場合）には、装置制御部１２０は、監視タイマーのオーバーフローを判定する（ステップＳ００４）。オーバーフローしている場合（ステップＳ００４にて「Ｙｅｓ」の場合）には、装置制御部１２０は、制御をステップＳ０１０に進める。オーバーフローしていない場合（ステップＳ００４にて「Ｎｏ」の場合）には、装置制御部１２０は、制御をステップＳ００３に戻す。
【００４４】
押下がなされた場合（ステップＳ００３にて「Ｙｅｓ」の場合）には、装置制御部１２０は、移行元回線の表示部を制御する（ステップＳ００５）。具体的には、装置制御部１２０は、ステップＳ００３にて押下を検出した回線を移行元回線として受け付けて、表示制御部１４０に指示して、移行元回線の表示部１４１を消灯から橙色（警戒色）点灯へ変更させる。
【００４５】
そして、装置制御部１２０は、移行先となる回線指定受付部１３１が押下されたか否か判定する（ステップＳ００６）。具体的には、装置制御部１２０は、いずれかの回線の近傍にある回線指定受付部１３１への押下があったか否か判定する。押下がなされなかった場合（ステップＳ００６にて「Ｎｏ」の場合）には、装置制御部１２０は、監視タイマーのオーバーフローを判定する（ステップＳ００７）。オーバーフローしている場合（ステップＳ００７にて「Ｙｅｓ」の場合）には、装置制御部１２０は、制御をステップＳ０１０に進める。オーバーフローしていない場合（ステップＳ００７にて「Ｎｏ」の場合）には、装置制御部１２０は、制御をステップＳ００６に戻す。
【００４６】
押下がなされた場合（ステップＳ００６にて「Ｙｅｓ」の場合）には、装置制御部１２０は、移行先回線の表示部を制御する（ステップＳ００８）。具体的には、装置制御部１２０は、ステップＳ００６にて押下を検出した回線を移行先回線として受け付けて、表示制御部１４０に指示して、移行先回線の表示部１４１を橙色（警戒色）点灯へ変更させる。
【００４７】
そして、装置制御部１２０は、設定情報の引継ぎ処理を行う（ステップＳ００９）。具体的には、装置制御部１２０は、回線情報制御部１３０に、後述する回線引継ぎ処理を実施させる。そして、装置制御部１２０は、回線情報制御部１３０が回線引継ぎ処理を実施している間においては、表示制御部１４０に指示して、移行元回線の表示部１４１と、移行先回線の表示部１４１とを、橙色（警戒色）点灯から橙色（警戒色）点滅へ変更させる。
【００４８】
そして、装置制御部１２０は、移行元回線の表示部１４１と、移行先回線の表示部１４１と、の表示を制御する（ステップＳ０１０）。具体的には、装置制御部１２０は、表示制御部１４０に指示して、移行元回線の表示部１４１と、移行先回線の表示部１４１とを、橙色（警戒色）点滅から通常点灯へ変更させる。なお、通常点灯は、正常動作している状態においては緑色で点灯し、通信中には消灯する表示である。
【００４９】
以上が、回線引継ぎ操作受付処理の流れである。回線引継ぎ操作受付処理によれば、直接コネクタ部１２１の近傍を見て移行元の回線のコネクタと移行先の回線のコネクタの近傍のボタンを押下するため、故障時等にケーブルを差し替えて変更する通信制御装置において誤操作を防止することができる。
【００５０】
図５は、回線引継ぎ処理の動作フロー例を示す図である。回線引継ぎ処理は、回線引継ぎ操作受付処理のステップＳ００９において開始される。
【００５１】
まず、回線情報制御部１３０は、移行元回線の設定を読み出す（ステップＳ１０１）。具体的には、回線情報制御部１３０は、回線引継ぎ操作受付処理のステップＳ００３にて受け付けた移行元回線の回線識別子を用いて、回線情報記憶部１１１の回線設定１１１ｂを特定して読み出す。
【００５２】
そして、回線情報制御部１３０は、移行先回線の設定を読み出す（ステップＳ１０２）。具体的には、回線情報制御部１３０は、回線引継ぎ操作受付処理のステップＳ００６にて受け付けた移行先回線の回線識別子を用いて、回線情報記憶部１１１の回線設定１１１ｂを特定して読み出す。
【００５３】
そして、回線情報制御部１３０は、移行先回線の設定を書き換える（ステップＳ１０３）。具体的には、回線情報制御部１３０は、ステップＳ１０１で読み出した移行元回線の回線設定１１１ｂと、ステップＳ１０２で読み出した移行先回線の回線設定１１１ｂと、を比較して差異を特定し、移行先回線の回線設定１１１ｂの情報に差異を上書きして更新する。
【００５４】
以上が、回線引継ぎ処理の動作フロー例である。回線引継ぎ処理によれば、移行元回線の設定を移行先回線に反映することができるため、接続するコネクタ部１２１を変更することができる。
【００５５】
図６は、通信制御装置のハードウェアボタンの配置例を示す図である。通信制御装置１００の正面または背面には、通常はネットワークケーブルを挿すコネクタ部１２１が複数設けられている。そして、その面と同一面に、略長方形、楕円または長円の回線指定受付部１３１と、楕円の制御指示受付部１３２と、略四角形の表示部１４１と、が設けられている。このうち、回線指定受付部１３１と、制御指示受付部１３２とは、押下可能なボタンとなっている。また、回線指定受付部１３１と、表示部１４１とは、各コネクタ部１２１の近傍（例えば、対応するコネクタ部１２１の外縁から２０ｍｍ（ミリメートル）以内）に配され、ＬＥＤにより発光する。
【００５６】
図７は、通信制御装置のハードウェアボタンの別の配置例を示す図である。図７の例は、図６の例とほぼ同様であるが、回線指定受付部１３１の形状と配置が異なる。回線指定受付部１３１Ａは、上向きの三角形であり、二段のコネクタ部１２１の上段に対応する。回線指定受付部１３１Ｂは、下向きの三角形であり、二段のコネクタ部１２１の下段に対応する。そして、回線指定受付部１３１Ａと、回線指定受付部１３１Ｂとは、いずれも二段のコネクタ部１２１の上段よりも上方に配されている。この場合も、回線指定受付部１３１Ａと回線指定受付部１３１Ｂとは、どの列のどの段のコネクタ部１２１に対応するか目視にて判別可能であるため、誤操作を防ぎやすい。
【００５７】
図８は、通信制御装置の表示一体型のハードウェアボタンの配置例を示す図である。通信制御装置１００の正面または背面には、通常はネットワークケーブルを挿すコネクタ部１２１が複数設けられている。そして、その面と同一面に、略長方形、楕円または長円の回線指定受付部１３１と、楕円の制御指示受付部１３２と、回線指定受付部１３１と一体となった表示部１４１と、が設けられている。このうち、回線指定受付部１３１および表示部１４１と、制御指示受付部１３２とは、押下可能なボタンとなっている。また、回線指定受付部１３１および表示部１４１とは、一体となり、各コネクタ部１２１の近傍（例えば、対応するコネクタ部１２１の外縁から２０ｍｍ（ミリメートル）以内）に配され、ＬＥＤにより発光する。
【００５８】
図９は、通信制御装置の表示一体型のハードウェアボタンの別の配置例を示す図である。図９の例は、図８の例とほぼ同様であるが、回線指定受付部１３１および表示部１４１の形状と配置が異なる。回線指定受付部１３１Ａおよび表示部１４１Ａは、一体化され、上向きの三角形であり、二段のコネクタ部１２１の上段に対応する。回線指定受付部１３１Ｂおよび表示部１４１Ｂは、一体化され、下向きの三角形であり、二段のコネクタ部１２１の下段に対応する。そして、回線指定受付部１３１Ａおよび表示部１４１Ａと、回線指定受付部１３１Ｂおよび表示部１４１Ｂとは、いずれも二段のコネクタ部１２１の上段よりも上方に配されている。この場合も、回線指定受付部１３１Ａと回線指定受付部１３１Ｂとは、どの列のどの段のコネクタ部１２１に対応するか目視にて判別可能であるため、誤操作を防ぎやすい。
【００５９】
図１０は、本発明の第二の実施形態に係る通信制御装置の構成例を示す図である。第二の実施形態に係る通信制御装置１００は、第一の実施形態に係る通信制御装置１００と略同一であるが、一部相違する。その相違を中心に、以下説明する。
【００６０】
装置制御部１２０´は、挿抜検出部および異常検出部を兼ねる。すなわち、装置制御部１２０´は、コネクタ部１２１に対するケーブルの挿抜を検出し、またコネクタ部１２１の接触不良等の異常・故障を検出することができる。
【００６１】
図１１は、異常回線引継ぎ操作受付処理の動作フロー例を示す図である。異常回線引継ぎ操作受付処理は、通信制御装置１００の起動中に実施される。
【００６２】
まず、装置制御部１２０´は、異常が検出されたか否か判定する（ステップＳ２０１）。具体的には、装置制御部１２０´は、コネクタ部１２１のいずれかに接触不良等の異常・故障が発生したか否かを判定する。異常または故障を検出していない場合（ステップＳ２０１にて「Ｎｏ」の場合）には、装置制御部１２０´は、制御をステップＳ２０１に戻す。
【００６３】
異常または故障を検出した場合（ステップＳ２０１にて「Ｙｅｓ」の場合）には、装置制御部１２０´は、異常または故障のあるコネクタ部１２１の特定および警告色表示を行う（ステップＳ２０２）。具体的には、装置制御部１２０´は、異常または故障が検出されたコネクタ部１２１を特定し、該コネクタ部１２１に対応する表示部１４１を表示制御部１４０に制御させて、赤色（警告色）で点滅表示させる。
【００６４】
そして、装置制御部１２０´は、異常または故障のあるコネクタ部１２１からケーブルが抜かれたか否かを判定する（ステップＳ２０３）。異常または故障のあるコネクタ部１２１からケーブルが抜かれていない場合（ステップＳ２０３にて「Ｎｏ」の場合）には、装置制御部１２０´は、ステップＳ２０３に制御を戻す。
【００６５】
異常または故障のあるコネクタ部１２１からケーブルが抜かれた場合（ステップＳ２０３にて「Ｙｅｓ」の場合）には、装置制御部１２０´は、移行元回線の表示部を制御する（ステップＳ２０４）。具体的には、装置制御部１２０´は、異常または故障が検出されたコネクタ部１２１に対応する表示部１４１を表示制御部１４０に制御させて、赤色（警告色）点滅表示から消灯状態にさせる。
【００６６】
そして、装置制御部１２０´は、他のコネクタ部にケーブルが挿入されたか否かを判定する（ステップＳ２０５）。他のコネクタ部１２１にケーブルが挿入されていない場合（ステップＳ２０５にて「Ｎｏ」の場合）には、装置制御部１２０´は、ステップＳ２０５に制御を戻す。
【００６７】
他のコネクタ部にケーブルが挿入された場合（ステップＳ２０５にて「Ｙｅｓ」の場合）には、装置制御部１２０´は、該コネクタ部１２１を移行先回線として受け付け、移行先回線の表示部を制御する（ステップＳ２０６）。具体的には、装置制御部１２０´は、ケーブルが挿入されたコネクタ部１２１に対応する表示部１４１を表示制御部１４０に制御させて、消灯から橙色（警戒色）点灯させる。
【００６８】
そして、装置制御部１２０は、設定情報の引継ぎ処理を行う（ステップＳ２０７）。具体的には、装置制御部１２０は、回線情報制御部１３０に、上述の回線引継ぎ処理を実施させる。そして、装置制御部１２０は、回線情報制御部１３０が回線引継ぎ処理を実施している間において、表示制御部１４０に指示して、移行元回線の表示部１４１と、移行先回線の表示部１４１とを、橙色（警戒色）点滅へ変更させる。
【００６９】
そして、装置制御部１２０は、移行元回線の表示部１４１と、移行先回線の表示部１４１と、の表示を制御する（ステップＳ２０８）。具体的には、装置制御部１２０は、表示制御部１４０に指示して、移行元回線の表示部１４１と、移行先回線の表示部１４１とを、橙色（警戒色）点滅から通常点灯へ変更させる。
【００７０】
以上が、異常回線引継ぎ操作受付処理の流れである。異常回線引継ぎ操作受付処理によれば、コネクタの故障時に、故障コネクタ部１２１の表示部１４１が警告色に表示され、直接コネクタ部１２１の近傍に注目した状態で移行元の回線のコネクタと移行先の回線のコネクタの近傍のボタンを押下するため、故障時等にケーブルを差し替えて変更する通信制御装置において誤操作を防止することができる。
【００７１】
以上、実施形態に係る通信制御装置１００について具体的に説明したが、本発明は前記実施の形態に限定されるものではなく、その要旨を逸脱しない範囲で種々変更可能であることはいうまでもない。
【００７２】
なお、上記した実施形態では本発明を分かりやすく説明するために構成を詳細に説明したものであり、必ずしも説明した全ての構成を備えるものに限定されるものではない。
【００７３】
また、上記の各構成、機能、処理部等は、それらの一部又は全部を、例えば集積回路で設計する等によりハードウェアで実現してもよい。また、制御線や情報線は説明上必要と考えられるものを示しており、製品上必ずしも全ての制御線や情報線を示しているとは限らない。実際には殆ど全ての構成が相互に接続されていると考えてもよい。
【００７４】
また、上記した各構成、機能、処理部等は、それらの一部又は全部を、例えば別の装置で実行してネットワークを介して統合処理する等により分散システムで実現してもよい。
【００７５】
また、上記した実施形態の技術的要素は、単独で適用されてもよいし、プログラム部品とハードウェア部品のような複数の部分に分けられて適用されるようにしてもよい。
【００７６】
以上、本発明について、実施形態を中心に説明した。
【符号の説明】
【００７７】
１００・・・通信制御装置、１１０・・・記憶部、１１１・・・回線情報記憶部、１１２・・・一時記憶部、１２０・・・装置制御部、１２１・・・コネクタ部、１３０・・・回線情報制御部、１３１・・・回線指定受付部、１３２・・・制御指示受付部、１４０・・・表示制御部、１４１・・・表示部
【図１】
2020025167.tif 000003
【図２】
2020025167.tif 000004
【図３】
2020025167.tif 000005
【図４】
2020025167.tif 000006
【図５】
2020025167.tif 000007
【図６】
2020025167.tif 000008
【図７】
2020025167.tif 000009
【図８】
2020025167.tif 000010
【図９】
2020025167.tif 000011
【図１０】
2020025167.tif 000012
【図１１】
2020025167.tif 000013